(57)【特許請求の範囲】
【請求項１】
吸込口本体の底面に形成された吸込開口を有する回転清掃体室に回転自在に設けられた回転清掃体と、外気を吸気する吸気口を有し且つ前記吸込口本体に設けられたタービン室と、前記タービン室内に回転自在に設けられ前記吸気口から導入される外気によって回転するタービンと、このタービンの回転方向を変換して前記回転清掃体へ伝達させるための変換装置とを備え、この変換装置は、変換装置本体と、この変換装置本体の下部から下方に突出した入力軸とを有し、この入力軸にプーリを装着して、このプーリに前記タービンの回転を伝達手段を介して伝達させる電気掃除機の吸込口体において、
前記プーリに、このプーリから上方へ突出可能な重り部材を設け、
前記変換装置本体の下部に、前記重り部材に係止する係止部を設け、
前記吸込口本体を裏返した際に、前記重り部材がプーリから突出して前記係止部に係合させて入力軸の回転を停止させることを特徴とする電気掃除機の吸込口体。
【請求項２】
前記重り部材または係止部の少なくともどちらか一方を弾性部材で覆ったことを特徴とする請求項１の電気掃除機の吸込口体。
【発明の詳細な説明】
【０００１】
【発明の属する技術分野】
この発明は、タービンの回転力によって回転清掃体を回転させる電気掃除機の吸込口体に関する。
【０００２】
【従来の技術】
従来から、タービンの回転力によって回転清掃体を回転させる電気掃除機の吸込口体として、図１２および図１３に示すものが知られている。
【０００３】
図１２および図１３において、１は吸込口本体２の底面に形成された吸込口、３は吸込口に臨んで回転自在に設けられた回転ブラシ、４はタービン室５に回転自在に設けられたタービンで、このタービン４の回転によってベルトＢを介して回転ブラシ３が回転するようになっている。
【０００４】
吸込口１から吸引された空気は風路６および管体７を通って図示しない電気掃除機本体へと流れる。この管体７の空気の流れによってタービン室５の吸込開口８から外気が導入され、この導入された外気が管体７と連通された連通孔９を介して管体７へと流れていく。そして、タービン室５内を流れる外気によってタービン４が回転していく。
【０００５】
また、タービン室５内に流れる外気の調整は、風路６を区画した区画壁６Ａの後端部に設けた弁体１０によって行われ、弁体１０は管体７に設けた図示しないノブの操作によって切り換わるようなっている。
【０００６】
【発明が解決しようとする課題】
ところで、このような吸込口体にあっては、吸込口本体２を裏返しても、吸込開口８から外気が導入されるためタービン４は速い速度で回転し続けてしまう。タービン４の回転速度を低速にするためには、弁体６Ｂを破線位置まで切り換わるようにすればよいが、しかし、ノブを操作しなければならず面倒である。また、タービン４が回転し続けるので回転ブラシ３が回転し続けてしまうので、回転ブラシ３に糸クズなどがからまっている場合、その糸クズを取ることが困難であるという問題があった。
【０００７】
この発明は、上記問題点に鑑みてなされたものであり、その目的は、清掃中に吸込口本体を裏返した際に、回転清掃体の回転が自動的に止まる電気掃除機の吸込口体を提供することにある。
【０００８】
【課題を解決するための手段】
請求項１の発明によれば、吸込口本体の底面に形成された吸込開口を有する回転清掃体室に回転自在に設けられた回転清掃体と、外気を吸気する吸気口を有し且つ前記吸込口本体に設けられたタービン室と、前記タービン室内に回転自在に設けられ前記吸気口から導入される外気によって回転するタービンと、このタービンの回転方向を変換して前記回転清掃体へ伝達させるための変換装置とを備え、この変換装置は、変換装置本体と、この変換装置本体の下部から下方に突出した入力軸とを有し、この入力軸にプーリを装着して、このプーリに前記タービンの回転を伝達手段を介して伝達させる電気掃除機の吸込口体において、
前記プーリに、このプーリから上方へ突出可能な重り部材を設け、
前記変換装置本体の下部に、前記重り部材に係止する係止部を設け、
前記吸込口本体を裏返した際に、前記重り部材がプーリから突出して前記係止部に係合させて入力軸の回転を停止させることを特徴とする。
【０００９】
請求項２の発明によれば、前記重り部材または係止部の少なくともどちらか一方を弾性部材で覆ったことを特徴とする。
【００１０】
【実施の形態】
以下、この発明に係る電気掃除機の吸込口体の実施の形態を図面に基づいて説明する。
【００１１】
図１ないし図３において、１０は電気掃除機の吸込口体であり、この吸込口体１０は吸込口本体１１と、この吸込口本体１１内に設けられたタービン室３０と、タービン室３０に回転自在に設けられたタービン５０と、タービン５０の回転によって回転する回転清掃体（アジテータ）６０,６１と、タービン５０の回転方向を変換するとももに回転速度を減速して回転清掃体６０,６１へ伝達させるための変換装置７０とを備えている。吸込口本体１１は、上ケース２１１と下ケース２１２とを有している。
【００１２】
吸込口本体１１内には、前側と後側に横長の回転清掃体室１３,１４が区画形成され、回転清掃体室１３,１４は吸込口本体１１の底面１１Ａに設けた吸込開口１６,１７を有する。回転清掃体室１３,１４には吸込開口１６,１７を臨んで回転清掃体６０,６１が回転自在に設けられており、回転清掃体６０,６１の軸(図示せず)にはギア６２,６３が取り付けられ、ギア６２,６３は回転清掃体６０,６１とともに一体的に回転するようになっている。
【００１３】
ギア６２,６３は変換装置７０の出力ギア７１,７２にタイミングベルト７３,７４を介して接続され、出力ギア７１,７２の回転によりタイミングベルト７３,７４およびギア６２,６３を介して回転清掃体６０,６１が回転するようになっている。
【００１４】
変換装置７０は、図４および図５に示すように、カサ歯車７０Ａ,７０Ｂ等を内蔵した装置本体７５と、この装置本体７５の下部から下方に突出した入力軸７６とを備えている。この変換装置７０は、入力軸７６の垂直軸回りの回転を出力ギア７１,７２の水平軸回りの回転に変換するとともに減速するものである。
【００１５】
入力軸７６には、外周囲にギア歯７８Ａを形成した円盤状のプーリ７８が取り付けられている。プーリ７８には、図６に示すように上面７８Ｊから下方に延びた４つの孔１００が入力軸７６を中心にして等間隔に設けられている。この孔１００には円柱状の重り部材１０１が収納されており、吸込口本体１１が裏返しされた際に重り部材１０１が孔１００から抜け出るようになっている。
【００１６】
他方、プーリ７８と対向した装置本体７５の下部の下面７５Ａには、図７に示すように、下方に突出した４つの突出部（係止部）１０２が入力軸７６（図５参照）を中心にして等間隔に設けられている。そして、これら突出部１０２と入力軸７６との距離と、プーリ７８の孔１００と入力軸７６との距離とがほぼ同一に設定されており、重り部材１０１が孔１００から突出すると、重り部材１０１の一端部１０１Ａ（図５において上部）が突出部１０２に係合して、入力軸７６の回転が停止するようになっている。
【００１７】
一方、吸込口本体１１には、タービン室３０の下に吸込風路２０が形成されている。吸込風路２０と回転清掃体室１３とは区画壁２１によって区画され、回転清掃体室１４と吸込風路２０とは回転清掃体室１４を区画している区画壁２２によって区画されている。そして、区画壁２１,２２には吸込風路２０と回転清掃室１３,１４とを連通する吸込口２１Ａ,２２Ａが形成されている。
【００１８】
また、タービン室３０と吸込風路２０とを区画した区画壁１１０には、タービン室３０と吸込風路２０とを連通する複数のスリット孔１１０Ａが形成されている。区画壁１１０は下ケース２１２に設けられている。
【００１９】
吸込風路２０は、吸込口本体１１の後部に取り付けられた回転管２４に連通しており、回転清掃室１３が吸込口２１Ａおよび吸込風路２０を介して回転管２４に連通し、回転清掃体室１４が吸込口２２Ａおよび吸込風路２０を介して回転管２４に連通している。回転管２４は吸込口本体１１に対して矢印Ｐ1方向に回動可能となっており、回転管２４には接続管２６が取り付けられていてる。この接続管２６は図示しない延長管等を接続しホースを介して電気掃除機本体の集塵室に連通される。
【００２０】
タービン室３０は、上記の下ケース２１２に設けた区画壁１１０と上ケース２１１とで区画形成されている。また、外気をタービン室３０へ案内する案内風路４０が区画壁１１０と上ケース２１１との間に形成されている。案内風路４０は、上ケース１１Ｂに設けた複数の小孔（吸気口）４４を介して外気と連通している。
【００２１】
タービン５０は、上下方向に延びた回転軸５１と、ドーム状の回転板５２と、この回転板５２の下面に設けた複数の羽根５３とを有している。回転軸５１の下端部５７は区画壁を貫通して下方へ突出しており、この下端部にはギア５８が取り付けられている。このギア５８は、変換装置７０の入力軸７６に取り付けたプーリ７８に伝達手段としてのタイミングベルトＴを介して接続され、タービン５０が回転するとギア５８およびタイミングベルトＴを介して変換装置７０の入力軸７６を回転させるようになっている。
【００２２】
次に、上記吸込口体の動作について説明する。
【００２３】
先ず、図示しない電気掃除機本体を作動させ、吸込口体１０を被清掃面Ｈ上を移動させて被清掃面Ｈを掃除していく。この際、被清掃面Ｈにより、吸込口本体１１の底面１１Ａの開口１６,１７は閉塞される状態となる。
【００２４】
電気掃除機本体の作動により集塵室が負圧になり、ホース,延長管,接続管を介して吸込風路２０が負圧となる。この負圧により、回転清掃体室１３,１４の開口１６,１７から吸気していき、空気が矢印（図２参照）方向へと流れていく。これにより、被清掃面Ｈの塵埃等が回転管２４へ吸引されていくこととなる。
【００２５】
また、吸込風路２０はタービン室３０に連通しているので、外気が上ケース１１Ｂの小孔４４から案内風路４０へ介してタービン室３０へ吸気されていく。そして、タービン室３０へ吸気された外気はさらに吸込風路２０へと吸気されていき、これによりタービン５０が高速回転していくこととなる。
【００２６】
タービン５０が回転していくと、ギア５８およびタイミングベルトＴを介して変換装置７０の入力軸７６が回転していき、これにより変換装置７０の出力ギア７１,７２が回転していく。出力ギア７１,７２の回転により、タイミングベルト７３,７４およびギア６２,６３を介して回転清掃体６０,６１が回転して絨毯などに付着した塵埃を掻き上げていく。なお、回転清掃体６０は時計方向（図３において）へ、回転清掃体６１は反時計方向へ回転していく。
【００２７】
この状態のとき、プーリ７８の孔１００の重り部材１０１は図８に示すように収納されている。
【００２８】
そして、吸込口体１０を裏返すと、図９に示すように、重り部材１０１が孔１００から出てきて、重り部材１０１の一端部１０１Ａが装置本体７５の下面７５Ａの突出部１０２に当接（係合）する。この当接により、入力軸７６の回転が停止し、タービン５０および回転清掃体６０,６１の回転が停止される。
【００２９】
このように、吸込口体１０を裏返すと、タービン５０および回転清掃体６０,６１の回転が自動的に停止されることとなる。この停止は、重り部材１０１の一端部１０１Ａを突出部１０２に当接させて停止させるので、タービン５０および回転清掃体６０,６１を確実に停止させることができる。
【００３０】
タービン５０の回転の停止により、タービン５０の回転による騒音が発生しない。このため、吸込口体１０を裏返した場合静かなものとなる。
【００３１】
また、回転清掃体６０,６１の回転の停止により、回転清掃体６０,６１にからまった糸クズ等を簡単に取ることができる。
【００３２】
図１０は、重り部材１０１の他の例を示したものであり、この例では重り部材１０１を例えばゴムなどの弾性部材１５０で覆ったものである。この例では、重り部材１０１の一端部１０１Ａが突出部１０２に当接するときの衝撃を弾性部材１５０により吸収するようにしたものである。すなわち、タービン５０および回転清掃体６０,６１を停止させる際の衝撃を吸収させるものである。
【００３３】
また、この衝撃を吸収するために、図１１に示すように、突出部１０２に弾性部材１５１で覆ってもよい。また、重り部材１０１および突出部１０２の両方とも弾性部材１５０,１５１で覆ってもよい。
【００３４】
【発明の効果】
以上説明したように、請求項１の発明にれば、吸込口体を裏返した場合、タービンおよび回転清掃体を自動的に確実に停止させることができ、このため、タービンの回転による騒音が発生せず、吸込口体を裏返した場合静かなものとなる。また、回転清掃体の回転の停止により、回転清掃体にからまった糸クズ等を簡単に取ることができる。
【００３５】
請求項２の発明によれば、タービンおよび回転清掃体を停止させる際の衝撃を吸収することができる。
【図面の簡単な説明】
【図１】この発明に係る電気掃除機の吸込口体の平面図である。
【図２】図１に示す吸込口体の横断面図である。
【図３】回転清掃体を回転させる駆動系を示した説明図である。
【図４】回転清掃体を回転させる駆動系を示した説明図である。
【図５】変換装置の構成を示した断面図である。
【図６】プーリを示した斜視図である。
【図７】図５の変換装置の本体の外観を示した斜視図である。
【図８】重り部材と突出部との関係を示した説明図である。
【図９】入力軸の回転が停止される状態を示した説明図である。
【図１０】他の例の重り部材を示した説明図である。
【図１１】他の例の突出部を示した説明図である。
【図１２】従来の吸込口体の構成を示した断面図である。
【図１３】図１３の吸込口体の平面図である。
【符号の説明】
７０          変換装置
７５          変換装置本体
７６          入力軸
７８          プーリ
１０１          重り部材
１０２          突出部（係止部）
【図１】
0003688085.tif 000002
【図２】
0003688085.tif 000003
【図３】
0003688085.tif 000004
【図４】
0003688085.tif 000005
【図５】
0003688085.tif 000006
【図６】
0003688085.tif 000007
【図７】
0003688085.tif 000008
【図８】
0003688085.tif 000009
【図９】
0003688085.tif 000010
【図１０】
0003688085.tif 000011
【図１１】
0003688085.tif 000012
【図１２】
0003688085.tif 000013
【図１３】
0003688085.tif 000014